(57)【要約】【課題】毛糸やテープ等からなるモチーフ材によって文字や模様を簡単に形成することができるようにしたニードルパンチ機を提供することである。【解決手段】針棒６の下端部に複数のパンチ針１５を保持する針留１１を取付け、針棒６の背部に設けられた押え棒１７の下端部にセパレータ２０を取付ける。セパレータ２０にパンチ針１５が挿入可能な針孔２２を設ける。針棒６に軸方向に延びる案内孔１０を形成し、セパレータ２０には針棒６と同軸上にガイド孔２１を設ける。案内孔１０の上部から挿通されて針棒６の下方に引き出された毛糸ａを複数のパンチ針１５の略中央からセパレータ２０のガイド孔２１内に挿通して針板２３上に載置された基材Ａ上に重ね合わせ、その毛糸ａをパンチ針１５の刺通により基材Ａに固定して、基材Ａの送り方向に毛糸ａが引き出されるようにする。【選択図】図３
2008280661.tif 000002
【特許請求の範囲】
【請求項１】
針棒の下端部に複数のパンチ針を有する針留を取付け、針棒の背部に設けられた押え棒の下端部にはその下方の針板上に載置される基材の浮き上がりを防止するセパレータを取付け、そのセパレータに前記パンチ針が挿入可能な針孔を設け、前記針棒の昇降動によりパンチ針を上下動させて針板上に載置された布からなる基材と、その上に載置された繊維質体からなるモチーフ材の重なり部に刺通し、各パンチ針のバーブにかかるモチーフ材の繊維を基材の内部から背面側に押し込み、基材に対する繊維の絡みによって基材にモチーフ材を固定するニードルパンチ機において、
前記針棒の中心軸上に、軸方向に延びて上下端が開口し、その上端開口から挿通される糸条のモチーフ材を針棒の下端から複数のパンチ針の略中央に引き出し可能な案内孔を形成し、前記セパレータには針棒と同軸上に前記モチーフ材が挿通されるガイド孔を形成したことを特徴とするニードルパンチ機。
【請求項２】
前記針留が、針棒にねじ止めされる円形のニードルホルダを有し、そのニードルホルダに上下に貫通する中心孔を形成し、その中心孔の周りにニードルホルダの下面で開口する複数の針挿入孔を上記中心孔を中心とする２つの仮想円上に等間隔に形成すると共に、２つの仮想円上に形成された針挿入孔を周方向に半ピッチ位置をずらし、ニードルホルダの外周には小径側仮想円上に形成された針挿入孔に連通するねじ孔と大径側仮想円上に形成された針挿入孔に連通するねじ孔を軸方向に間隔をおいて形成し、各ねじ孔にねじ係合された止めねじの締付けによってそれぞれの針挿入孔に挿入されたパンチ針の上部を固定した構成からなる請求項１に記載のニードルパンチ機。
【請求項３】
前記針棒と同軸上に、前記モチーフ材が挿通されて、そのモチーフ材を昇降動するパンチ針に対して非接触状態に保持するガイドパイプを設けた請求項１又は２に記載のニードルパンチ機。
【発明の詳細な説明】
【技術分野】
【０００１】
この発明は、布地から成る基材にフェルトや毛糸等の繊維質体からなるモチーフ材を定着させるニードルパンチ機に関するものである。
【背景技術】
【０００２】
モータの駆動によって昇降動される針棒の下端に針留を取付け、その針留に植設された複数のパンチ針を針板上に載置された布からなる基材と、その上に載置されたフェルト等の繊維質体からなるモチーフ材に刺通し、各パンチ針に形成されたバーブ(とげ)にかかるモチーフ材の繊維を基材に絡ませてモチーフ材の固定化を図るようにしたニードルパンチ機は従来から知られている。
【０００３】
ここで、モチーフ材とは、フェルトシートの裁断によって形成された動、植物等を象る各種の模様体、あるいは、文字や絵模様を形成するウールの毛糸や繊維から成るテープをいう。
【０００４】
上記模様体においては、針棒の１回の昇降動によってパンチ針が刺通されると基材に定着されて基材との間で相対移動するのが防止され、基材の送りと共に模様体も一体となって移動するため、容易に定着することができる。
【発明の開示】
【発明が解決しようとする課題】
【０００５】
ところで、従来から知られているニードルパンチ機を用いて、例えば、基材上に毛糸を定着させて文字や曲線状の模様を形成する場合、基材上に載置された毛糸で模様を形成しつつその毛糸がパンチ針の下方を通過するよう基材の向きを変えて送り込む必要があるため、極めて煩わしい操作となり、文字や曲線状の模様の形成に熟練を必要とする問題があった。また、テープによる文字や模様の形成も同様の問題があった。
【０００６】
この発明の課題は、毛糸やテープ等からなるモチーフ材によって文字や模様を簡単に形成することができるようにしたニードルパンチ機を提供することである。
【課題を解決するための手段】
【０００７】
上記の課題を解決するために、この発明においては、針棒の下端部に複数のパンチ針の上部を支持する針留を取付け、針棒の背部に設けられた押え棒の下端部にはその下方の針板上に載置される基材の浮き上がりを防止するセパレータを取付け、そのセパレータに前記パンチ針が挿入可能な針孔を設け、前記針棒の昇降動によりパンチ針を上下動させて針板上に載置された布からなる基材と、その上に載置された繊維質体からなるモチーフ材の重なり部に刺通し、各パンチ針のバーブにかかるモチーフ材の繊維を基材の内部から背面側に押し込み、基材に対する繊維の絡みによって基材にモチーフ材を固定するニードルパンチ機において、前記針棒に軸方向に延びて上下端が開口し、その上端開口から挿通される糸条のモチーフ材を針棒の下端から複数のパンチ針の略中央に引き出し可能な案内孔を形成し、前記セパレータには針棒と同軸上に前記モチーフ材が挿通されるガイド孔を形成した構成を採用したのである。
【０００８】
ここで、糸条のモチーフ材とは、毛糸や細幅の繊維からなるテープをいう。
【０００９】
この発明に係るニードルパンチ機において、針留として、針棒にねじ止めされる円形のニードルホルダを有し、そのニードルホルダに上下に貫通する中心孔を形成し、その中心孔の周りにニードルホルダの下面で開口する複数の針挿入孔を上記中心孔を中心とする２つの仮想円上に等間隔に形成すると共に、２つの仮想円上に形成された針挿入孔を周方向に半ピッチ位置をずらし、ニードルホルダの外周には小径側仮想円上に形成された針挿入孔に連通するねじ孔と大径側仮想円上に形成された針挿入孔に連通するねじ孔を軸方向に間隔をおいて形成し、各ねじ孔にねじ係合された止めねじの締付けによってそれぞれの針挿入孔に挿入されたパンチ針の上部を固定した構成からなるものを採用することにより、パンチ針の植設密度の高い小型コンパクトな慣性力の小さな針留でもってモチーフ材を基材に確実に定着させることができる。
【００１０】
また、針棒と同軸上に、前記モチーフ材が挿通されて、そのモチーフ材を昇降動するパンチ針に対して非接触状態に保持するガイドパイプを設けると、パンチ針のバーブがセパレータと針留間で毛糸等のモチーフ材の毛羽立ちを引っ掛けて、セパレータの針孔を通して模様に絡ませるという不都合の発生を防止することができる。
【発明の効果】
【００１１】
上記のように、針棒に軸方向に延びる案内孔を形成し、セパレータには上記針棒と同軸上にガイド孔を設けたことにより、針棒の上方から案内孔に糸条のモチーフ材を挿通し、複数のパンチ針の略中央に引き出されたそのモチーフ材をセパレータのガイド孔に挿通して針板上に引き出し、その針板上に置かれた基材の上に載置して、針棒の昇降動によるパンチ針の刺通により基材にモチーフ材を一旦固定すると、以後、基材の送り方向にモチーフ材が引き出されて基材と重なる部分がパンチ針の刺通により順次連続して固定されることになる。このため、基材の送り方向を変更することによって糸条のモチーフ材で各種の模様を簡単に形成することができる。
【発明を実施するための最良の形態】
【００１２】
以下、この発明の実施形態を図面に基づいて説明する。図１に示すように、ニードルパンチ機はベッド１およびアーム２を有し、そのアーム２のヘッド部３内には上下方向に長く延びるガイド部材４が設けられている。
【００１３】
ガイド部材４の上下端部はアーム２に固定され、そのガイド部材４に一対の支持片５が上下に間隔をおいて設けられ、各支持片５によって針棒６が昇降自在に支持されている。
【００１４】
アーム２内には上軸７が回転自在に設けられている。上軸７は図示省略したモータによって駆動され、その上軸７の回転はクランク８およびクランクロッド９を介して針棒６の昇降動に変換される。このため、上軸７が回転すると針棒６が上下動するようになっている。
【００１５】
図２および図３に示すように、針棒６には軸方向に延びる案内孔１０が形成され、その案内孔１０は針棒６の上面および下面で開口している。また、針棒６の下端部には針留１１が取付けられている。
【００１６】
図３および図４に示すように、針留１１は、ニードルホルダ１２を有し、そのニードルホルダ１２に下部が小径の段付きの中心孔１２ａを形成し、その中心孔１２ａの周りにニードルホルダ１２の下面で開口する複数の針挿入孔１２ｂを上記中心孔１２ａを中心とする２つの仮想円上に等間隔に設けると共に、２つの仮想円上に形成された針挿入孔１２ｂを周方向に半ピッチ位置をずらし、ニードルホルダ１２の外周には小径側仮想円上に形成された針挿入孔１２ｂに連通するねじ孔と大径側仮想円上に形成された針挿入孔１２ｂに連通するねじ孔１３を図２および図３に示すように、軸方向に間隔をおいて形成し、各ねじ孔１３にねじ係合した止めねじ１４の締付けによってそれぞれの針挿入孔１２ｂに挿入されたパンチ針１５の上部を固定している。
【００１７】
上記の針留１１は、針棒６の下端部にニードルホルダ１２を嵌合し、そのニードルホルダ１２の外周からねじ込まれる固定ねじ１６の締付けによって針棒６の下端部に着脱自在に取付けられている。
【００１８】
ここで、小径の仮想円上に配置されたパンチ針１５と大径の仮想円上に配置されたパンチ針１５の周方向の間隔は針棒６の案内孔１０内に挿通されるモチーフ材としての毛糸ａの外径より小さくなっている。また、パンチ針１５はバーブ（とげ）を有するが図では省略している。
【００１９】
図２に示すように、針棒６の背部には押え棒１７が設けられている。押え棒１７は昇降自在の支持とされ、ヘッド部３の下部に設けられた揺動可能なレバー１８の上方向への揺動によって引き上げられ、上端部に嵌合したスプリング１９によって下向きに付勢されている。
【００２０】
図３に示すように、押え棒１７の下端部にはセパレータ２０が着脱自在に取付けられている。セパレータ２０には上下に貫通するガイド孔２１と、そのガイド孔２１の周りにパンチ針１５が挿入可能な針孔２２が形成されている。また、ベッド１に設けられた針板２３にもパンチ針１５が挿入可能な針孔２４が形成されている。
【００２１】
ここで、セパレータ２０は、針板２３上に載置された基材Ａを刺通するパンチ針１５の上昇時に、そのパンチ針１５と共に基材Ａが引き上げられるのを防止する。
【００２２】
また、押え棒１７は、図２に示す摘み２５の操作によって上下動される。その上下動によって、針板２３上に載置される基材Ａおよびその基材Ａ上に重ね合わされた毛糸ａの厚みに応じてセパレータ２０が高さ調整されるようになっている。
【００２３】
実施の形態で示すニードルパンチ機は上記の構造からなり、針板２３上に載置された基材Ａに毛糸ａを固定する場合は、ヘッド部３の上部に設けられた糸調子器２６に毛糸ａを掛け、その毛糸ａを針棒６に形成された案内孔１０および針留１１の中心孔１２ａに挿通し、針棒６の下方に引き出された毛糸ａをセパレータ２０に形成されたガイド孔２１に挿通して基材Ａ上に引き出し、上記基材Ａの上面に重ね合わせた状態において、針棒６を昇降動させる。
【００２４】
上記針棒６の昇降動によりパンチ針１５が上下動し、そのパンチ針１５の下降時、パンチ針１５は毛糸ａおよび基材Ａに刺通する。その刺通によってパンチ針１５のバーブにかかる毛糸ａの繊維が基材Ａの内部から背面側に押し込まれて基材Ａに絡み、その絡みによって毛糸ａは基材Ａに固定される。
【００２５】
ここで、毛糸ａは円形に配置されたパンチ針１５の中央を通ってセパレータ２０のガイド孔２１内に挿通される糸通し状態であるため、基材Ａの送り方向を変換して、その変換方向に基材Ａを送ると、毛糸ａも基材Ａの送り方向に引き出されて基材Ａと重なる部分がパンチ針１５の刺通によって順次固定されることになる。
【００２６】
このため、基材Ａの送り方向を変更することによって、毛糸ａは基材Ａ上で模様を形成しつつ基材Ａに固定されることになり、任意の模様を極めて簡単に形成することができる。
【００２７】
実施の形態では、複数のパンチ針１５を径の異なる２つの仮想円上において等間隔に並ぶ円形の配置としたが、パンチ針１５の配置はこれに限定されるものではなく、毛糸ａの周りに複数配置されていればよい。実施の形態で示す針留１１を採用することにより、パンチ針１５の植設密度の高い小型コンパクトな慣性力の小さな針留１１でもってモチーフ材ａを基材Ａに確実に定着させることができる。
【００２８】
また、モチーフ材として毛糸ａを使用したが、繊維からなるテープをモチーフ材として使用してもよい。
【００２９】
図６は、この発明に係るニードルパンチ機の他の実施の形態を示す。この実施の形態では、針棒６と同軸上に、毛糸ａが挿入されるガイドパイプ３０を設け、そのガイドパイプ３０によって毛糸ａを昇降動するパンチ針１５に対して非接触状態に保持するようにしている。
【００３０】
ここで、ガイドパイプ３０は、アーム２の天板を貫通してセパレータ２０のガイド孔２１内に下端部が配置される長さの長いものであってもよく、あるいは、図７に示すように、セパレータ２０から上限位置で停止するパンチ針１５のバーブの位置より少し高い位置に達する長さの短いものであってもよい。
【００３１】
長さの長いガイドパイプ３０を採用する場合は、図６に示すように、上記ガイドパイプ３０の上端部外周に雄ねじ３１を形成し、その雄ねじ３１をアーム２の天板に設けられた固定ナット３２にねじ係合し、締付けナット３３の締付けによって固定する。
【００３２】
一方、長さの短いガイドパイプ３０の場合は、図７に示すように、セパレータ２０のガイド孔２１内に下端部を圧入し、あるいは、そのガイド孔２１に下端部を挿入する状態でセパレータ２０の外周からガイド孔２１に向けてねじ込まれる止めねじの締付けで固定する。
【００３３】
上記のように、針棒６と同軸上に設けたガイドパイプ３０によって毛糸ａを昇降動するパンチ針１５に対して非接触状態に保持することにより、パンチ針１５のバーブがセパレータ２０と針留１１間で毛糸ａの毛羽立ちを引っ掛けて、セパレータ２０の針孔２２を通して模様に絡ませるという不都合の発生を防止することができる。
【００３４】
ここで、図８に示すように、アーム２の天板にフランジ付きの支持筒３４を固定し、その支持筒３４内に挿入したガイドパイプ３０を、支持筒３４のフランジ３４ａの外周面から径方向にねじ込まれる止めねじ３５の締付けにより固定することにより、ガイドパイプ３０の取付け、取外しを簡単に行うことができる。
【００３５】
また、図９に示すように、セパレータ２０にねじ孔３６を形成し、そのねじ孔３６にガイドパイプ３０の下端部外周に形成された雄ねじ３７をねじ係合して、ガイドパイプ３０の下端部外周に形成された鍔３０ａをセパレータ２０の上面に押付けることにより、この場合も、ガイドパイプ３０の取付け、取外しを簡単に行うことができる。
【図面の簡単な説明】
【００３６】
【図１】この発明に係る針留を取付けたニードルパンチ機の実施の形態を示す断面図
【図２】図１の縦断側面図
【図３】図２の一部を拡大して示す断面図
【図４】図３のIV-IV線に沿った断面図
【図５】図３のＶ-Ｖ線に沿った断面図
【図６】この発明に係る針留を取付けたニードルパンチ機の他の実施の形態を示す断面図
【図７】図６に示すガイドパイプの他の例を示す断面図
【図８】ガイドパイプの取付けの他の例を示す断面図
【図９】ガイドパイプの取付けのさらに他の例を示す断面図
【符号の説明】
【００３７】
Ａ      基材
ａ      毛糸（モチーフ材）
６      針棒
１０    案内孔
１１    針留
１２    ニードルホルダ
１２ａ  中心孔
１２ｂ  針挿入孔
１３    ねじ孔
１４    止めねじ
１５  パンチ針
１７  押え棒
２０  セパレータ
２１  ガイド孔
２３  針板
２４  針孔
３０  ガイドパイプ
【図１】
2008280661.tif 000003
【図２】
2008280661.tif 000004
【図３】
2008280661.tif 000005
【図４】
2008280661.tif 000006
【図５】
2008280661.tif 000007
【図６】
2008280661.tif 000008
【図７】
2008280661.tif 000009
【図８】
2008280661.tif 000010
【図９】
2008280661.tif 000011